(57)【要約】【課題】コネクタの挿抜方向における摺動を効果的に抑制する技術を提供する。【解決手段】本明細書が開示するコネクタセット１０は、筒状の嵌合部２０を有する雌コネクタ４と、嵌合部２０に挿通される平板端子３を有する雄コネクタ２で構成される。雌コネクタ４は、板バネ６を備える。板バネ６には、平行に並んだ複数の切込みが設けられている。板バネ６は、切込みに沿って板バネ６の一面側に立ち上がる複数の第１折り曲げ部６ａと、他面側に立ち上がる複数の第２折り曲げ部６ｂを有する。第１折り曲げ部６ａは、第１折り曲げ部６ａと板バネ６の平面とが嵌合部２０の奥側で鋭角を成すように折り曲げられ、その先端エッジ６ａｅが挿通された平板端子３と接触する。第２折り曲げ部６ｂは、第２折り曲げ部６ｂと板バネ６の平面とが嵌合部２０の入口側で鋭角を成すように折り曲げられ、その先端エッジ６ｂｅが嵌合部内面と接触する。【選択図】図１
2013242968.tif 000002
【特許請求の範囲】
【請求項１】
筒状の嵌合部を有する雌コネクタと、嵌合部に挿通される平板端子を有する雄コネクタで構成されるコネクタセットであって、
雌コネクタは、挿通された平板端子と嵌合部内面との間に位置するように、雄コネクタを抜け止めする板部材を備え、
板部材は、平行に並んだ複数の切込みが設けられており切込みに沿って板部材の一面側に立ち上がる複数の第１折り曲げ部と他面側に立ち上がる複数の第２折り曲げ部を有しており、
第１折り曲げ部は、第１折り曲げ部と板部材の平面とが嵌合部の奥側で鋭角を成すように折り曲げられ、その先端エッジが挿通された平板端子と接触し、
第２折り曲げ部は、第２折り曲げ部と板部材の平面とが嵌合部の入口側で鋭角を成すように折り曲げられ、その先端エッジが嵌合部内面と接触する、
ことを特徴とするコネクタセット。
【請求項２】
雌コネクタを板部材の平面に対して直交方向から平面視したときに、第１又は第２折り曲げ部の少なくとも一方の折り曲げ線が、雄コネクタの挿抜方向に対して斜めであることを特徴とする、請求項１に記載のコネクタ。
【請求項３】
雄コネクタと雌コネクタのいずれか一方に雄コネクタの挿通を止める制止部が設けられていることを特徴とする請求項１又は２に記載のコネクタセット。
【発明の詳細な説明】
【技術分野】
【０００１】
本発明は、雄コネクタと雌コネクタで構成されるコネクタセットに関する。
【背景技術】
【０００２】
自動車において電気デバイス同士を電気的に接続するコネクタは家庭用のコネクタと異なり、厳しい環境で使われる。厳しい環境の要件としては、車両の振動や熱変化が挙げられる。車両の振動により、雄コネクタの端子と雌コネクタの端子が長期間に亘って摺動する虞がある。また、熱変化によりコネクタ自体が熱変形することによっても端子同士が摺動する虞がある。さらに、コネクタの熱変形によりコネクタ間の結合が緩み、走行振動による摺動が助長される虞もある。長期間にわたり摺動が続くと端子が磨滅し、電気的接続状態が低下する虞がある。また、摺動が過度に続くと端子のメッキがはがれ、端子の表面に酸化物が生成されることもあり得る。酸化物は電気抵抗を増大させる。
【０００３】
そこで、コネクタの端子の摺動を抑制する技術の一例が特許文献１に開示されている。特許文献１の技術は、コネクタの幅方向と上下方向（即ち、コネクタの矩形状の挿通口における、横方向と縦方向）の摺動を抑制することを目的とする。特許文献１が開示する技術は、雌コネクタに備えた板バネが雄コネクタの端子の両サイドを支持することでコネクタの幅方向における摺動を抑制し、また、雄コネクタが、板バネと、板バネと対向している突出部とにより上下方向に挟持保持されることでコネクタの上下方向における摺動を抑制する。
【先行技術文献】
【特許文献】
【０００４】
【特許文献１】特開２００７−１５７５１５号公報
【発明の概要】
【発明が解決しようとする課題】
【０００５】
特許文献１の技術は、コネクタの幅方向及び上下方向の摺動は抑制できるが、雄コネクタの挿通・抜去方向（以下、「挿抜方向」とも称する）における摺動抑制は配慮されていない。本明細書は、コネクタの挿抜方向における摺動を効果的に抑制する技術を提供する。
【課題を解決するための手段】
【０００６】
本明細書が開示する技術の一態様は次の構成を有するコネクタセットに具現化することができる。そのコネクタセットは、筒状の嵌合部を有する雌コネクタと、嵌合部に挿通される平板端子を有する雄コネクタで構成される。雌コネクタは、雄コネクタを抜け止めするための板部材を備える。その板部材は、挿通された平板端子と嵌合部内面との間に位置するように雌コネクタに取り付けられている。板部材には、平行に並んだ複数の切込みが設けられている。板部材は、切込みに沿って板部材の一面側に立ち上がる複数の第１折り曲げ部と、他面側に立ち上がる複数の第２折り曲げ部を有する。第１折り曲げ部は、第１折り曲げ部と板部材の平面とが嵌合部の奥側で鋭角を成すように折り曲げられ、その先端エッジが挿通された平板端子と接触する。第２折り曲げ部は、第２折り曲げ部と板部材の平面とが嵌合部の入口側で鋭角を成すように折り曲げられ、その先端エッジが嵌合部内面と接触する。
【０００７】
雄コネクタの平板端子が雌コネクタの嵌合部に挿通されることで、コネクタセットは電気的に接続される。雌コネクタには、金属製の板部材が、平板端子と嵌合部内面との間に位置するように取り付けられている。板部材は、例えば圧入によって雌コネクタに取り付けられる。板部材には、典型的には板バネが用いられる。板部材は平行に並んだ複数の切込みを有する。切込みは、例えばコの字状に設けられ、切込みに沿って折り曲げられて立ち上げられる。複数の折り曲げ部のうち、いくつかは板部材の一面側に立ち上がるように折り曲げられ、残りは板部材の他面側に立ち上がるように折り曲げられる。便宜上、前者を第１折り曲げ部と称し、後者を第２折り曲げ部と称する。別言すれば、第１折り曲げ部は、板部材に対して平板端子側に折り曲げられ、第２折り曲げ部は、板部材に対して嵌合部内面側に折り曲げられる。第１折り曲げ部は、第１折り曲げ部と板部材の平面とが嵌合部の奥側で鋭角を成すように折り曲げられて、第１折り曲げ部の先端エッジが、挿通された雄コネクタの平板端子と接触する。第２折り曲げ部は、第２折り曲げ部と板部材の平面とが嵌合部の入口側で鋭角を成すように折り曲げられて、第２折り曲げ部の先端エッジが、嵌合部内面と接触する。第１折り曲げ部、第２折り曲げ部はいずれも、折り曲げ部の角度が上記した条件に合致していればよく、嵌合部の奥側から入口側に折り曲げられてもよいし、嵌合部の入口側から奥側に折り曲げられてもよい。
【０００８】
この構成によると、雄コネクタ（の平板端子）と第１折り曲げ部とが嵌合部入口側で成す角度が鋭角である。そのような構造によって、雄コネクタは差し込み易いが抜き難くなる。別言すれば、雄コネクタを抜去する際の平板端子と板部材先端エッジの間の摩擦力が、雄コネクタを挿通する際の平板端子と先端エッジの間の摩擦力よりも大きくなる。一方において、雌コネクタ（の嵌合部内面）と第２折り曲げ部とが嵌合部奥側で成す角度も鋭角である。そのような構造によって、雄コネクタを抜去する際の嵌合部内面と板部材先端エッジの間の摩擦力が、雄コネクタを挿通する際の嵌合部内面と先端エッジの間の摩擦力よりも大きくなる。即ち、板部材が雄コネクタ抜去方向に外れ難くなる。上記の構造の板部材により、挿通された雄コネクタが抜去方向に後退し難くなる。雄コネクタを嵌合部の最も奥まで挿通すると（即ち、それ以上は奥へ進まなくなるまで雄コネクタを挿通すると）、雄コネクタはそれ以上は前進することがなく、また、板部材によって後退もし難くなる。即ち、雄コネクタの挿抜方向の摺動を抑制できる。
【０００９】
本明細書が開示する技術の詳細、及び、さらなる改良は、発明の実施の形態、及び、実施例にて詳しく説明する。
【図面の簡単な説明】
【００１０】
【図１】（Ａ）は第１実施例のコネクタセットの挿抜方向における断面図を示し、（Ｂ）は第１実施例のコネクタセットの幅方向における断面図を示す。
【図２】第１実施例の板バネを折り曲げる前の平面図を示す。
【図３】第１実施例の板バネを折り曲げた後の斜視図を示す。
【図４】第２実施例の板バネを折り曲げる前の平面図を示す。
【図５】第２実施例の板バネを折り曲げた後の斜視図を示す。
【図６】（Ａ）は第２実施例のコネクタセットの挿抜方向における断面図を示し、（Ｂ）は第２実施例のコネクタセットの幅方向における断面図を示す。
【図７】第３実施例の板バネを折り曲げる前の平面図を示す。
【図８】第３実施例のコネクタセットの平面図を示す。
【図９】第４実施例の板バネを折り曲げる前の平面図を示す。
【図１０】第４実施例のコネクタセットの幅方向における断面図を示す。
【発明を実施するための形態】
【００１１】
実施例の特徴の幾つかを最初に列記する。なお、以下の特徴は、それぞれ単独でも有用なものである。
【００１２】
（特徴１）雌コネクタを板部材の平面に対して直交方向から平面視したときに、第１折り曲げ部及び第２折り曲げ部の折り曲げ線が、雄コネクタの挿通方向に対して斜めである。この構成によると、雄コネクタの抜去方向の摺動が抑制できるとともに、雄コネクタの幅方向における摺動も抑制できる。
【００１３】
（特徴２）雄コネクタと雌コネクタのいずれか一方に雄コネクタの挿通を止める制止部が設けられている。制止部があることにより、雄コネクタは、制止部によって予め定められた位置よりも奥に挿通されることがない。
【実施例１】
【００１４】
図面を参照して第１実施例のコネクタセットについて説明する。図１（Ａ）はコネクタセット１０の挿抜方向における断面図（図１（Ｂ）のＡ−Ａ線における断面）を示す。図１（Ｂ）はコネクタセット１０の幅方向における断面図（図１（Ａ）のＢ−Ｂ線における断面）を示す。コネクタセット１０は、雄コネクタ２と雌コネクタ４からなる。雌コネクタ４は、金属製の筒状の嵌合部２０を有する。嵌合部２０が、雌コネクタ側の端子に相当する。嵌合部２０の内部には、板バネ６が取り付けられている（後述）。他方、雄コネクタ２は、金属製の平板端子３を有する。雄コネクタ２、及び、雌コネクタ４は、いずれも、端子（平板端子３、嵌合部２０）の一部を覆う樹脂製のカバーを有するが、それらの図示は省略している。雄コネクタ２の平板端子３を雌コネクタ４の嵌合部２０に挿通することにより、コネクタセット１０は電気的に接続される。雌コネクタ４はさらに、制止部１４を有する。雄コネクタ２の平板端子３を嵌合部２０に挿通していくと、平板端子３は制止部１４に当接し、それ以上進めなくなる。即ち、制止部１４は、雄コネクタ２の挿通を予め定められた位置で止め、雄コネクタ２をそれ以上奥に挿通することを防止する。なお、図中のＹ軸の方向が挿抜方向に相当する。
【００１５】
前述の通り、雌コネクタ４は、その嵌合部２０の内部に、金属性の板バネ６を備える。図２、図３を参照して、板バネ６について説明する。図２は、板バネ６の平面図である。図２に示すように、板バネ６には、コの字状の切込みが設けられている。本実施例の板バネ６は、Ｙ軸方向に沿って４つ、Ｘ軸方向に沿って３つ、計１２個の切込みを有する。以下では、説明の都合上、Ｙ軸方向に沿って設けられる切込みを、Ｘ軸の正方向に向かって、順に１列目、２列目、３列目と称する。１列目の４つの切込みは平行に並んでおり、２列目、３列目の切込みについても同様である。２列目の切込み６ｘは、Ｙ軸の負方向が閉じられたコの字型に切込まれており、他方、１列目の切込み６ｙ及び３列目の切込み６ｙは、Ｙ軸の正方向が閉じられた逆コの字型に切込まれている。図２の板バネ６に付された○印は、切込み６ｘに沿って紙面の裏側から表側に折り曲げることを意味し、×印は、切込み６ｙに沿って紙面の表側から裏側に折り曲げることを意味する。そのようにして折り曲げられた板バネ６を、図３に示す。図３は、板バネ６の斜視図である。２列目の切込み６ｘに沿って折り曲げると、第１折り曲げ部６ａが立ち上がり、１列目と３列目の切込み６ｙに沿って折り曲げると、第２折り曲げ部６ｂが立ち上がる。即ち、第１折り曲げ部６ａと第２折り曲げ部６ｂは板バネ６の平面に対して、相互に反対側に折り曲げられる。第１折り曲げ部６ａにおいて、その折り曲げ線と平行な辺を、先端エッジ６ａｅと称し、第２折り曲げ部６ｂにおいて、その折り曲げ線と平行な辺を、先端エッジ６ｂｅと称する。
【００１６】
図１に戻り、嵌合部２０内部の板バネ６について説明する。板バネ６は、雄コネクタ２を雌コネクタ４に挿通した際に、平板端子３と嵌合部２０の内面との間に位置するように取り付けられる。本実施例では、図３の板バネ６は嵌合部２０に圧入されて固定される。具体的には、板バネ６のＸ軸方向における両端が、嵌合部２０の内面に固着する。なお、板バネ６の取り付け方法は、これに限られない。
【００１７】
第１折り曲げ部６ａは、図１（Ａ）に示すように、第１折り曲げ部６ａと板バネ６の平面とが、嵌合部２０の奥側（即ち、Ｙ軸の正方向側）で鋭角を成すように折り曲げられる。また、第１折り曲げ部６ａは、平板端子３を嵌合部２０に挿通した際に、先端エッジ６ａｅが平板端子３と接触するように折り曲げられる。他方、第２折り曲げ部６ｂは、図１（Ａ）に示すように、第２折り曲げ部６ｂと板バネ６の平面とが、嵌合部２０の入口側（即ち、Ｙ軸の負方向側）で鋭角を成すように折り曲げられる。また、第２折り曲げ部６ｂは、先端エッジ６ｂｅが嵌合部２０の内面と接触するように折り曲げられる。
【００１８】
第１実施例のコネクタセット１０の利点を説明する。第１実施例の板バネ６の第１折り曲げ部６ａは、平板端子３と、嵌合部２０の入口側で鋭角を成す。そのような構造により、雄コネクタ２を抜去する際の平板端子３と、第１折り曲げ部６ａの先端エッジ６ａｅの間の摩擦力Ｆｍｏ（即ち、雄コネクタ２を抜去する際に雄コネクタ２にかかる摩擦力）は、雄コネクタ２を挿通する際の平板端子３と先端エッジ６ａｅの間の摩擦力Ｆｍｉ（即ち、雄コネクタ２を挿通する際に雄コネクタ２にかかる摩擦力）よりも大きくなる。即ち、雄コネクタ２は雌コネクタ４に差し込み易くなるとともに、抜き難くなる。一方において、第２折り曲げ部６ｂは、嵌合部２０の内面と、嵌合部２０の奥側で鋭角を成す。そのような構造により、雄コネクタ２を抜去する際の嵌合部２０内面と、第２折り曲げ部６ｂの先端エッジ６ｂｅの間の摩擦力Ｆｆｏ（即ち、雄コネクタ２を抜去する際に雌コネクタ４にかかる摩擦力）は、雄コネクタ２を挿通する際の嵌合部２０内面と先端エッジ６ｂｅの間の摩擦力Ｆｆｉ（即ち、雄コネクタ２を挿通する際に雌コネクタ４にかかる摩擦力）よりも大きくなる。即ち、板バネ６は、雌コネクタ４に対して、雄コネクタ２の抜去方向に動き難くなる。板バネ６が上記のような第１折り曲げ部６ａ及び第２折り曲げ部６ｂを有することにより、雄コネクタ２は一旦雌コネクタ４に挿通されると抜去し難くなる。また、雌コネクタ４は、制止部１４を有する。従って、雄コネクタ２を嵌合部２０に挿通していくと、平板端子３は制止部１４に当接し、それ以上前に進めなくなる。即ち、本実施例における雄コネクタ２は、板バネ６によって抜去方向に動き難くなるとともに、制止部１４によって挿通方向にも動き難くなる。上記の構造により雄コネクタ２の挿抜方向の摺動を抑制できる。車両の振動やコネクタセットの熱変形に起因して、雄コネクタが挿抜方向に摺動することを抑制できる。自動車のような厳しい環境下で用いられる場合においても、自動車に搭載される電気デバイス同士を適切に接続できる。
【実施例２】
【００１９】
次に、図４〜図６を参照して、第２実施例について説明する。本実施例では、第１実施例と同じ機能を有する部材には同じ符号を付し、その説明を省略する。
【００２０】
第２実施例のコネクタセット１０ａは、板バネに設けられる折り曲げ部の形状が第１実施例の場合と異なる。図４は、第２実施例の板バネ２６の平面図である。板バネ２６には、図４に示すような３つの切込み２６ｚ１〜２６ｚ３が平行に設けられている。各切込みは、３つの台形が連続する形で切込まれている。より具体的には、Ｘ軸方向に隣接する各台形はその脚を共有しており、各台形は、台形の下底以外の３辺が切り込まれている。また、隣接する切込み間の距離は、台形の高さに等しい。即ち、Ｙ軸方向に隣接する２つの台形において、一方の台形の下底の一部と、他方の台形の上底は重なっている。以下では、説明の都合上、Ｙ軸方向に沿って設けられる台形状の切込みを、Ｘ軸の正方向に向かって、順に１列目、２列目、３列目と称する。図２と同様に、板バネ２６に付された○印は、切込みに沿って、２列目の台形状の部分を紙面の裏側から表側に折り曲げることを意味し、×印は、切込みに沿って１列目及び３列目の台形状の部分を紙面の表側から裏側に折り曲げることを意味する。
【００２１】
線Ｌ１は、切込みに沿って板バネ２６を折り曲げる折り曲げ線の１つである。折り曲げ線Ｌ１と、その両側の切り込み２６ｚ１及び２６ｚ２に関し、折り曲げ部を説明する。符号２６ａを付した第１折り曲げ部と、符号２６ｂを付した第２折り曲げ部２６ｂは、切込み２６ｚ１と２６ｚ２に挟まれ、結局、図４の符号Ｌｐが示す部分だけで板バネ２６の枠部分と繋がっている。従って、第２折り曲げ部２６ｂを符号Ｌｐが示す部分で紙面裏側へ折り曲げると、第１折り曲げ部２６ａが従動的に紙面の表側に立ち上がる。図４に示す板バネ２６は、相互に反対方向に立ち上がる第１及び第２折り曲げ部を作成する工程が簡単になるという利点を奏する。この利点を有する板バネの特徴は以下の通り表現できる。即ち、板バネ２６は、折り曲げ線Ｌ１を境界にその一方の側に設けられた第１切込み２６ｚ２と他方の側に設けられた第２切込み２６ｚ１を有する。第１切込み２６ｚ２と折り曲げ線Ｌ１で囲まれた部分が第１折り曲げ部２６ａに相当し、第２切込み２６ｚ１と折り曲げ線Ｌ１で囲まれた部分が第２折り曲げ部２６ｂに相当する。第１折り曲げ部２６ａにおいて折り曲げ線Ｌ１に相当する辺は、第２折り曲げ部２６ｂと繋がっているか、あるいは、他の切込みによって板バネ２６の枠部分とは切り離されている。上記の形状を有する切込みを設けることによって、第２折り曲げ部２６ｂを紙面の一方側へ折り曲げると第１折り曲げ部２６ａが従動的に紙面他方側に立ち上がることになる。即ち、第１折り曲げ部２６ａと第２折り曲げ部２６ｂは、板バネ２６の平面に対して、反対側に折り曲げられる。
【００２２】
その他の折り曲げ線についても同様に折り曲げた板バネ２６を、図５に示す。第１折り曲げ部２６ａにおいて、その折り曲げ線と平行な辺を、先端エッジ２６ａｅと称し、第２折り曲げ部２６ｂにおいて、その折り曲げ線と平行な辺を、先端エッジ２６ｂｅと称する。
【００２３】
続いて、図６を参照して、嵌合部２０内部の板バネ２６について説明する。図６（Ａ）は本実施例のコネクタセット１０ａの挿抜方向における断面図（図６（Ｂ）のＡ−Ａ線における断面）を示す。図６（Ｂ）はコネクタセット１０ａの幅方向における断面図（図６（Ａ）のＢ−Ｂ線における断面）を示す。図４に示すように、第１折り曲げ部２６ａの折り曲げ線と、第２折り曲げ部２６ｂの折り曲げ線は直線Ｌ１で共通であるため、板バネ２６をＸ軸方向からみると（図６（Ａ）参照）、第１折り曲げ部２６ａと第２折り曲げ部２６ｂは一直線に見える。その他の特徴は第１実施例の場合と同じである。
【００２４】
第２実施例のコネクタセット１０ａは、第１実施例のコネクタセット１０の利点に加えて次の利点を有する。前述したように、第２折り曲げ部２６ｂを板バネ２６の一方面側へ折り曲げると第１折り曲げ部２６ａが従動的に反対側に立ち上がる。それゆえ、第２実施例のコネクタセット１０ａは、製造コストを抑制することができる。また、隣接する切込み２６ｚの間の距離が、第１折り曲げ部２６ａ及び第２折り曲げ部２６ｂの高さに等しい。即ち、隣接する切込み２６ｚの間の板バネ２６は、全て第１折り曲げ部２６ａあるいは第２折り曲げ部２６ｂとして用いられる。従って、板バネ２６から効率的に第１折り曲げ部２６ａ及び第２折り曲げ部２６ｂを形成できる。
【実施例３】
【００２５】
図７、図８を参照して、第３実施例における板バネ３６について説明する。本実施例では、第１実施例と同じ機能を有する部材には同じ符号を付し、その説明を省略する。
【００２６】
第３実施例のコネクタセット１０ｂも、板バネに設けられる折り曲げ部の形状が第１実施例の場合と異なる。図７に示す板バネ３６は、図４の板バネ２６が有する切込みと形状は同じであるが、角度が異なる切込み３６ｚを有する。図７と図８は、板バネ４６をその平面に対して直交方向からみたときの図に相当する。第３実施例のコネクタセット１０ｂでは、第１及び第２折り曲げ部の折り曲げ線Ｌ２が、雄コネクタ２の挿抜方向（図中のＹ軸方向）に対して斜めである。即ち、板バネ３６には、折り曲げ線Ｌ２がＹ軸に対して斜めとなるように切込みが設けられる。
【００２７】
第３実施例における板バネ３６の上記特徴は、より詳しくは次のように表現することもできる。第１折り曲げ部３６ａの先端エッジ３６ａｅから嵌合部奥側（即ち、Ｙ軸の正方向側）へ延びる法線をＮ１とする。また、第２折り曲げ部３６ｂの先端エッジ３６ｂｅから嵌合部入口側（即ち、Ｙ軸の負方向側）へ延びる法線をＮ２とする。板バネ３６では、法線Ｎ１と雄コネクタ２の挿通方向Ｄ１が鋭角Ａ１を成すように、そして、法線Ｎ２と雄コネクタ２の抜去方向Ｄ２が鋭角Ａ２を成すように、切込みが設けられる。
【００２８】
図８は、そのような板バネ３６が取り付けられた雌コネクタ４に雄コネクタ２が挿通されたコネクタセット１０ｂの平面図である。なお、図を見易くするために、雄コネクタ２に関してＸ軸の正方向側の嵌合部２０は、図示を省略している。本実施例においても、第１、第２実施例と同様に、第１折り曲げ部３６ａは折り曲げ線（例えば線Ｌ２）で紙面の裏側から表側に、第２折り曲げ部３６ｂは折り曲げ線で紙面の表側から裏側に折り曲げられる。また、第１折り曲げ部３６ａと板バネ３６の平面は、嵌合部奥側で鋭角を成すように折り曲げられ、先端エッジ３６ａｅは平板端子３に接触する。他方、第２折り曲げ部３６ｂと板バネ３６の平面は、嵌合部入口側で鋭角を成すように折り曲げられ、先端エッジ３６ｂｅは嵌合部２０内面に接触する。
【００２９】
本実施例のコネクタセット１０ｂの利点を説明する。本実施例の第１折り曲げ部３６ａは、雄コネクタ２の挿抜方向（即ち、図８のＹ軸方向）において、平板端子３と嵌合部入口側で鋭角を成し、第２折り曲げ部３６ｂは、嵌合部２０の内面と嵌合部奥側で鋭角を成す。従って、第１、第２実施例と同様に、Ｆｍｏ＞Ｆｍｉ、及びＦｆｏ＞Ｆｆｉの関係が成り立つため、雄コネクタ２を一旦嵌合部２０に挿通したら、抜去し難くなる。従って、、コネクタセット１０ｂは、第１実施例のコネクタセット１０と同様に雄コネクタ２の挿抜方向における摺動を抑制できる。
【００３０】
さらに、本実施例では、切込み３６ｚが挿通方向に対して斜めに設けられている（即ち、折り曲げ線が挿通方向に対して斜めである）ため、雄コネクタ２の幅方向（即ち、図８のＸ軸方向）において、第１折り曲げ部３６ａは平板端子３とＸ軸の負方向で鋭角を成す。そのような構造により、雄コネクタ２が、挿通方向から見て幅方向における左側（即ち、Ｘ軸の負方向）に動く際に、平板端子３と先端エッジ３６ａｅの間に生じる摩擦力Ｆｍｌ（即ち、雄コネクタ２が幅方向における左側に動く際に雄コネクタ２にかかる摩擦力）は、雄コネクタ２が幅方向における右側（即ち、Ｘ軸の正方向）に動く際に、平板端子３と先端エッジ３６ａｅの間に生じる摩擦力Ｆｍｒ（即ち、雄コネクタ２が幅方向における右側に動く際に雄コネクタ２にかかる摩擦力）よりも大きくなる（Ｆｍｌ＞Ｆｍｒ）。即ち、雄コネクタ２は、嵌合部２０の幅方向において、右側よりも左側へ動き難くなる。一方において、第２折り曲げ部３６ｂは、嵌合部２０内面とＸ軸の正方向で鋭角を成す。そのような構造により、雄コネクタ２が幅方向における左側に動く際に、嵌合部２０内面と先端エッジ３６ｂｅの間に生じる摩擦力Ｆｆｌ（即ち、雄コネクタ２が幅方向における左側に動く際に雌コネクタ４にかかる摩擦力）は、雄コネクタ２が幅方向における右側に動く際に、嵌合部２０内面と先端エッジ３６ｂｅの間に生じる摩擦力Ｆｆｒ（即ち、雄コネクタ２が幅方向における右側に動く際に雌コネクタ４にかかる摩擦力）よりも大きくなる（Ｆｆｌ＞Ｆｆｒ）。即ち、板バネ３６（の第２折り曲げ部３６ｂ）は、雌コネクタ４に対して、嵌合部２０の幅方向における右側よりも左側へ動き難くなる。雄コネクタ２の幅が、嵌合部２０内部の幅より短い場合に、雄コネクタ２を嵌合部２０内部の右側（Ｘ軸の正方向側）に当接するように挿通することにより、雄コネクタ２が嵌合部２０内部において幅方向に摺動するのを抑制できる。即ち、本実施例における雄コネクタ２は、板バネ３６によって挿抜方向に動き難くなるとともに、幅方向における左側にも動き難くなる。車両の振動やコネクタセットの熱変形に起因して、雄コネクタが挿抜方向及び幅方向に摺動することを抑制できる。
【００３１】
本実施例のコネクタセット１０ｂの留意点を説明する。本実施例では、嵌合部２０の幅方向（即ち、図８のＸ軸方向）において、第１折り曲げ部３６ａが平板端子３とＸ軸の負方向で成す角度が鋭角になるように第１折り曲げ部３６ａが立ち上げられ、第２折り曲げ部３６ｂが嵌合部２０内面とＸ軸の正方向で成す角度が鋭角になるように第２折り曲げ部３６ｂが立ち上げられている。そのため、Ｆｍｌ＞Ｆｍｒ、Ｆｆｌ＞Ｆｆｒとなり、雄コネクタ２がＸ軸の負方向に摺動することを抑制できるが、第１折り曲げ部３６ａ及び第２折り曲げ部３６ｂの折り曲げ方はこれに限られない。例えば、第１折り曲げ部３６ａが平板端子３とＸ軸の正方向で成す角度が鋭角になるように第１折り曲げ部３６ａを立ち上げ、第２折り曲げ部３６ｂが嵌合部２０内面とＸ軸の負方向で成す角度が鋭角になるように第２折り曲げ部３６ｂを立ち上げてもよい。この場合、Ｆｍｌ＜Ｆｍｒ、Ｆｆｌ＜Ｆｆｒとなるため、雄コネクタ２を嵌合部２０内部の左側（図８のＸ軸の負方向）に当接するように挿通することにより、雄コネクタ２が嵌合部２０内部において幅方向に摺動するのを抑制できる。また、板バネ３６は、第１折り曲げ部３６ａと第２折り曲げ部３６ｂの切込みが、連続せずに別々に設けられていてもよい。このとき、第１折り曲げ部３６ａと第２折り曲げ部３６ｂの折り曲げ線は、必ずしも平行でなくてもよい。第１折り曲げ部３６ａと第２折り曲げ部３６ｂの少なくとも一方の折り曲げ線が、雄コネクタ２の挿抜方向に対して斜めであるような構成であってもよい。
【実施例４】
【００３２】
次に、図９、図１０を参照して、第４実施例のコネクタセット１０ｃについて説明する。本実施例では、第１実施例と同じ機能を有する部材には同じ符号を付し、その説明を省略する。図９は、本実施例の板バネ４６である。板バネ４６には、第２、第３実施例と同様の切込み４６ｚが、図９のＸ軸方向に沿って２つ設けられている。第１折り曲げ部４６ａは、切込み４６ｚに沿って紙面の裏側から表側へ折り曲げ線Ｌ３で折り曲げられて立ち上げられる。他方、第２折り曲げ部４６ｂは、切込み４６ｚに沿って紙面の表側から裏側へ折り曲げ線Ｌ３で折り曲げられて立ち上げられる。板バネ４６は、図９の板バネ４６のＸ軸方向における両側が、嵌合部２０内部の幅方向における両側に圧入されることにより取り付けられる。図１０は、板バネ４６が雌コネクタ４に取り付けられたコネクタセット１０ｃの、幅方向における断面図である。第１折り曲げ部４６ａは平板端子３と嵌合部入口側で鋭角を成し、その先端エッジ４６ａｅは平板端子３と接触する。他方、第２折り曲げ部４６ｂは嵌合部２０内面と嵌合部奥側で鋭角を成し、その先端エッジ４６ｂｅは嵌合部２０内面と接触する。そのような構造により、雄コネクタ２は一旦雌コネクタ４に挿通されると、抜去し難くなる。また、雌コネクタ４が制止部１４（図示略）を有することで、雄コネクタの挿通方向における摺動も抑制できる。さらに、本実施例では、図９のＸ軸方向（即ち、嵌合部２０の幅方向）において、第１折り曲げ部４６ａが２つ形成される。即ち、図１０に示すように、先端エッジ４６ａｅは、嵌合部２０の幅方向において、平板端子３と２箇所において接触する。そのような構造により、平板端子３は、Ｙ軸を回転の軸として回転し難くなる。上記のように、幅方向において第１折り曲げ部を２箇所有するような板バネを用いることにより、雄コネクタ２が挿抜方向に動き難くなるだけでなく、挿抜方向を回転の軸とする回転運動も起こりにくくなる。
【００３３】
本実施例のコネクタセット１０ｃの留意点について説明する。本実施例では幅方向において２つの第１折り曲げ部４６ａを有するが、２つより多くてもよい。また、本実施例では、折り曲げ線（例えば線Ｌ３）は挿抜方向と直交するように設けられているが、折り曲げ線の方向は、これに限られない。即ち、折り曲げ線が挿抜方向に対して斜めであってもよい。また、第１折り曲げ部と第２折り曲げ部の切込みは、別々に設けられていてもよい。さらに、第１折り曲げ部と第２折り曲げ部の折り曲げ線は、必ずしも互いに平行でなくてもよい。
【００３４】
第１実施例から第４実施例に共通する留意点について説明する。第１折り曲げ部６ａ、２６ａ、３６ａ、４６ａは嵌合部２０の奥側から入口側に折り曲げられ、第２折り曲げ部６ｂ、２６ｂ、３６ｂ、４６ｂは、嵌合部２０の入口側から奥側に折り曲げられるが、折り曲げられる方向は、これに限られない。第１折り曲げ部が平板端子３と嵌合部入口側で鋭角を成し、第２折り曲げ部が嵌合部２０内面と嵌合部奥側で鋭角を成す構成であれば、第１折り曲げ部は嵌合部２０の入口側から奥側に折り曲げられ、第２折り曲げ部は嵌合部２０の奥側から入口側に折り曲げられてもよい。また、制止部は、雌コネクタ４にではなく、雄コネクタ２に設けられていてもよい。雄コネクタ２が嵌合部２０の内部を予め定められた位置よりも挿通方向に沿ってそれ以上奥に進むことを妨げる役割を有するのであれば、制止部は、どちらのコネクタに設けられていてもよいし、コネクタのどの位置にあってもよい。また、第１折り曲げ部が板バネの平面と嵌合部奥側で成す角度と、第２折り曲げ部が板バネの平面と嵌合部入口側で成す角度は、必ずしも同じでなくてもよい。また、板バネの雌コネクタへの取り付けは、圧入以外の方法であってもよい。また、板バネの外枠の形は、雌コネクタ４に適切に取り付けられる形状であれば、どのような形でもよい。即ち、板バネの外枠が切込みの形状になっていてもよいし、直線であってもよい。さらに、図１、図６、図８、図１０によると、雄コネクタ２は、嵌合部２０の内部において、板バネに対してＺ軸の正方向側に挿通されるが、雄コネクタ２（の平板端子３）と板バネの位置関係は、これに限られない。第１折り曲げ部が、その先端エッジが平板端子３と接触するとともに、平板端子３と嵌合部入口側で成す角度が鋭角であり、第２折り曲げ部が、その先端エッジが嵌合部２０の内面と接触するとともに、嵌合部２０の内面と嵌合部奥側で成す角度が鋭角であれば、雄コネクタと板バネの嵌合部内部における位置関係はどのようであってもよい。例えば、雄コネクタ２が、嵌合部２０の内部において、板バネに対してＺ軸の負方向側に挿通される構成であってもよい。
【００３５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００３６】
２：雄コネクタ
３：平板端子
４：雌コネクタ
６、２６、３６、４６：板バネ
６ａ、２６ａ、３６ａ、４６ａ：第１折り曲げ部
６ｂ、２６ｂ、３６ｂ、４６ｂ：第２折り曲げ部
６ａｅ、２６ａｅ、３６ａｅ、４６ａｅ：先端エッジ
６ｂｅ、２６ｂｅ、３６ｂｅ、４６ｂｅ：先端エッジ
６ｘ：切込み
６ｙ：切込み
２６ｚ１、２６ｚ２、２６ｚ３、３６ｚ、４６ｚ：切込み
１０、１０ａ、１０ｂ、１０ｃ：コネクタセット
１４：制止部
２０：嵌合部
【図１】
2013242968.tif 000003
【図２】
2013242968.tif 000004
【図３】
2013242968.tif 000005
【図４】
2013242968.tif 000006
【図５】
2013242968.tif 000007
【図６】
2013242968.tif 000008
【図７】
2013242968.tif 000009
【図８】
2013242968.tif 000010
【図９】
2013242968.tif 000011
【図１０】
2013242968.tif 000012